【事件の表示】
　特願２０１０−１３２１４６「携帯通信機器及び携帯通信機器の制御方法」拒絶査定不服審判事件〔平成２２年１１月　４日出願公開、特開２０１０−２５２３７０〕について、次のとおり審決する。
【結　論】
　本件審判の請求は、成り立たない。
【理　由】
１．手続の経緯
　本願は、平成１６年１１月２４日に出願した特願２００５−５１６８１０号の一部を、平成２２年６月９日に新たな特許出願としたものであって、平成２４年４月９日付けで拒絶査定がなされ、これに対し、平成２４年７月２３日に拒絶査定に対する審判請求がなされ、当審において平成２５年４月１１日付けで拒絶理由通知がなされ、平成２５年６月１７日付けで手続補正がなされたものである。
　
２．本願発明
　本願の請求項１に係る発明（以下、「本願発明」という。）は、平成２５年６月１７日付け手続補正書の請求項１に記載された以下のとおりのものと認める。
　「開閉可能な筺体と、筐体に設けられた外部キーを含む操作部と、前記外部キーの操作に伴う処理を無効にする操作無効機能とを有する携帯通信機器であって、
　前記筺体の開閉を検出する開閉検出手段と、
　前記筺体が閉状態で前記操作無効機能が有効なとき、前記外部キーの少なくとも１つに所定の操作が行われたか否かを判定する判定手段と、
　前記判定手段により所定の操作が行われたと判定されたとき、前記操作部の少なくとも１つについて、前記操作部の操作に伴う処理を有効にする操作制御手段とを備え、
　前記操作制御手段は、操作部の操作に伴う処理を有効にした場合、タイマーを初期化して起動し操作部の操作に伴う処理を有効にしたときから時間を測定し、前記操作部の操作が所定時間行なわれないときは、前記操作部の操作に伴う処理を無効にするとともに、前記操作部の操作が前記所定時間に行われたときは、前記タイマーを初期化して時間を測定し、操作部の操作に伴う処理を前記タイマーの時間が所定時間となるときまで有効とし、
　閉状態で情報を表示する画面と、
　当該携帯通信機器が有する各種機能を制御する制御部とを更に備え、
　前記操作部は、前記画面と略同一面上に設けられた、中心キーおよび当該中心キーの周囲に配された４つの上下左右キーから成る５接点キーと、本体側面に設けられたサイドキーとを含み、
　前記５接点キーが操作無効機能の対象に含まれ、
　前記操作制御手段は、前記判定手段により、前記５接点キーに対してダブルクリック又は長押しが行われたと判定されたとき、前記５接点キーの操作に応じた操作信号を前記制御部に通知する
　ことを特徴とする携帯通信機器。」
　　
３．引用例発明
　当審で通知した拒絶理由に引用された「Ａ５３０６ＳＴ取扱説明書, 2003年5月版, p.22-24,211, 検索日2005年2月10日,URL, http://au-pro.kddi.com/phone/torisetu/pdf/5306st/5306_torisetu.pdf」（以下、「引用例１」という。）には、図面とともに以下の記載がある。（なお、表記の都合上、数字を○で囲む文字については、[○数字]、例えば[○１]、[○２]と表記し、また、○数字の直後に記載されたキーアイコンなどの各種記号については、それぞれ対応する○数字のキーとして[○数字キー]、例えば[○１キー]、[○２キー]と表記した。) 
 　 
　イ.「各部の名称と機能 
 　各部の名称と機能、および簡単な操作方法を説明します。 
 　※本書では、Ａ５３０６ＳＴの各部を以下の表示方法で説明します。 
 　 （当審注：上記記載の後、Ａ５３０６ＳＴの各部に関し、その左欄には開いた状態の正面図、中央欄には開いた状態の裏面図、右欄には閉じた状態の側面図、及び下面図がそれぞれ下記に示す○数字と共に記載されている。） 
 　 
 [○１]受話口 
　 （・・・中略・・・） 
 ［○１５］サブディスプレイ
　メインディスプレイと同様に、いろいろな設定や情報が表示されます。不在着信や新着メールは、Ａ５３０６ＳＴを開かなくても内容を確認することができます。
　 （・・・中略・・・）
 [○１９][○１９キー] 
 　カメラを起動するときに使います。 
 　（・・・中略・・・） 
  [○２５][○２５キー] 
 　カメラ撮影時のズーム、簡易ライト、ハンズフリー通話をするときに使います。 
 [○２６][○２６キー] 
 　簡易留守メモを設定するとき、また、カメラ撮影時に使います。 
 [○２７][○２７キー] 
 　カメラ撮影時、ズームを利用するときに使います。」 
 （２２、２３ページ） 
 　 
 　ロ．「＜サブディスプレイ＞
　Ａ５３０６ＳＴを閉じているときに表示されます。」
　（２４ページ）
　
　ハ．「オートロック／とじるとロック／簡易サイドキーロック 
 　　　　　　　　　　　　　　　　お買い上げ時　全設定：ＯＦＦ 
 Ａ５３０６ＳＴを使用できないようにロックをかけることができます。 
 「Ｍ４２オートロック」： 
 　電源を入れるたび、すべてのキーにロックがかかります。 
 「Ｍ４３１とじるとロック」： 
 　待受中にＡ５３０６ＳＴを閉じると、すべてのキーにロックがかかります。 
 「Ｍ４３２簡易サイドキーロック」： 
 　Ａ５３０６ＳＴを閉じている間、[○２５キー]・[○２６キー]・[○２７キー]・[○１９キー]のキーにロックがかかります。 
 　 
 例）オートロックを設定する 
 １　オートロックの項目を表示する 
 　　（当審注：入力キーの記載省略） 
 ２　設定する 
 　　（当審注：入力キーの記載省略）」 
 （２１１ページ左欄〜右欄） 
 　 
　ニ．「オートロック/とじるとロックを一時解除するには 
 ロック中にキー操作をすると、ロックＮｏ．入力画面が表示されます（Ａ５３０６ＳＴを閉じているときは、サブディスプレイに、ロックされている旨のメッセージが表示されます）。ロックＮｏ．を入力すると、一時解除できます。 
 簡易サイドキーロックを一時解除するには 
 ロック中にＡ５３０６ＳＴを開くと、一時解除できます。　 
 Ａ５３０６ＳＴを閉じたまま一時解除するには、[○２７キー]を１秒以上押します。」 
 （２１１ページ右欄） 
 　 
　引用例１の「Ａ５３０６ＳＴ」は、２２ページの正面図、同裏面図、同側面図の記載等からみて「携帯電話機」であることは明かである。 
　また、この「携帯電話機」は、同各図面の記載からみて、「開閉可能」であって、携帯電話機の「筐体が開いた状態で操作可能なキー（例えば、[○４キー]、[○５キー]等）と、筐体が開いた状態及び閉じた状態で操作可能な[○１９キー]、[○２５キー]〜[○２７キー]を有し、上記ロ．にあるように、これらのキーについて、携帯電話機を使用できないように、「オートロック」、「とじるとロック」、「簡易サイドキーロック」のような「ロック」をかけることができるものである。 
　そして、これらのロックのうち、「Ｍ４３２簡易サイドキーロック」の設定をＯＮとした場合は、「筐体を閉じている間、前記[○１９キー]、[○２５キー]〜[○２７キー]にロックをかけて携帯電話機を使用できないようにする簡易サイドキーロック機能」を有するものである。 
　また、筐体が閉じていることを「携帯電話機」が認識するために、筐体の開閉を検出する開閉検出手段を備えることは自明である。
　また、上記ニ．にあるように、この「携帯電話機」は、前記「簡易サイドキーロック」の実行中に、筐体を閉じたまま前記[○２７キー]を１秒以上押すと、「簡易サイドキーロック」を一時解除するという制御を行うものであるから、筐体を閉じているときに簡易サイドキーロック機能が有効なとき、[○２７キー]が１秒以上押されたかどうかを判定する判定手段、及び判定手段により[○２７キー]が１秒以上押されたと判定されたとき、前記簡易サイドキーロックを一時解除する操作制御手段を備えているといえる。
　上記イ．及びロ．の「サブディスプレイ」の記載によれば、この「携帯電話機」は、筐体を閉じているときに情報を表示するサブディスプレイを備えるものである。
  引用例１の２２ページの側面図を参照すれば、操作部は本体側面に設けられたサイドキーを含むものである。
　
　したがって、技術常識を考慮すれば、引用例１には、以下の発明(以下、「引用例１発明」という。)が開示されていると認められる。 
　「開閉可能な筺体と、筐体に設けられたサイドキーを含む操作部と、前記サイドキーにロックをかける簡易サイドキーロック機能とを有する携帯電話機であって、
　前記筐体の開閉を検出する開閉検出手段と、 
　前記筐体を閉じているときに前記簡易サイドキーロック機能が有効なとき、前記[○２７キー]が１秒以上押されたかどうかを判定する判定手段と、 
 　前記判定手段により[○２７キー]が１秒以上押されたと判定されたとき、前記簡易サイドキーロックを一時解除する操作制御手段と、
　筐体を閉じているときに情報を表示するサブディスプレイを備え、
　操作部は、本体側面に設けられたサイドキーを含む携帯電話機。」 
 　 
　当審で通知した拒絶理由に引用された特開平１１−３５５４３２号公報（以下、「引用例２」という。）には、図面とともに以下の記載がある。
　
　「【００１０】
【発明の実施の形態】次に添付図面を参照して本発明による移動体通信端末におけるダイヤルロック解除方法の実施の形態を詳細に説明する。図３を参照すると本発明による移動体通信端末の実施の形態、すなわちダイヤル操作が不正に行われないようにダイヤルをロックするダイヤルロック機能を備えた移動体通信端末の機能ブロック図が示されている。
【００１１】本実施の形態による移動体通信端末は、当該端末装置の全体を制御するマイクロコンピュータ（ＭＰＵ）５０と、電話番号やダイヤルロック設定または解除に伴う各種動作モードの設定等を行うキー操作部６０と、暗証番号等のユーザにより設定されたデータが保存されるＥ2 ＰＲＯＭ６２と、キー操作部６０から入力された各種情報や端末装置の状態を表示するＬＣＤ等からなる表示部６４とを備える。なお、この表示部６４には、例えばダイヤルロックが設定されている状態ではダイヤルロックマークである鍵マークが表示されるとともに、後述するダイヤルロックの「一時解除」中の場合にはこれを示す文字が表示される。
【００１２】当該端末装置はまた、着信時にこの装置を振動させて着信を知らせる振動モータ６６と、基地局からの電波を受信したり基地局への電波を送信するアンテナ６８と、アンテナ６８を介して送受信する音声信号やデータ信号に対してＲＦ送信処理またはＲＦ受信処理を行うＲＦ回路７０と、スピーカ７２と、マイク７４とを備える。当該端末装置はさらに、ＲＦ回路７０でＲＦ受信処理された受信信号をＡＦ処理してスピーカ７２から音声出力するとともに、マイク７４から入力した音声信号をＡＦ処理してＲＦ回路７０に出力するＡＦ回路７６を備える。
【００１３】ＭＰＵ５０は、その内部にＣＰＵ５１、ＲＯＭ５２、ＲＡＭ５３、クロック５４、Ｉ／Ｏポート５５およびタイマ５６とにより構成されている。ＣＰＵ５１は、クロック５４から供給されるクロックに同期して動作し、ＲＯＭ５２に格納されている当該端末装置の動作処理手順を規定するプログラムに基づき、指定された処理を演算データおよび外部情報を格納するＲＡＭ５３を用いて実行する。ＣＰＵ５１はまた、Ｉ／Ｏポート５５を介してＭＰＵ５０以外の各構成要素と接続され、信号やデータの授受を行うことにより、所定の機能を実行する。
【００１４】具体的には、ＣＰＵ５１は、例えばキー操作部６０より入力されたダイヤルロック設定を行うキー操作を検出すると、ＲＯＭ５２に格納されているプログラムに従ってダイヤルロックを設定する。ＣＰＵ５１はまた、ダイヤルロックが設定されている状態でダイヤルロックを解除するための暗証番号が入力され、この暗証番号に続けて「解除」または「一時解除」の選択キーが入力されたことを検出すると、暗証番号を照合してこれが正しければダイヤルロックの「解除」または「一時解除」を行う。ＣＰＵ５１はさらに、「一時解除」の場合には、タイマ５６を起動してキー入力有無を監視する。
【００１５】図１はこのようなダイヤルロックを解除するときの本実施の形態によるダイヤルロック解除方法を図示したフローチャートである。以下、図１および図３を用いて本実施の形態による移動体通信端末におけるダイヤルロック解除方法を詳細に説明する。
【００１６】予め設定されているダイヤルロックを解除する場合、初めにダイヤルロック設定時に登録した暗証番号を入力する（Ｓ１００）。次に、「解除」または「一時解除」の選択キーにより実行したい解除方法を選択する（Ｓ１０２）。なお、「解除」または「一時解除」の選択キーは、「機能キー」、「オフフックキー」、「オンフックキー」または特定の「ダイヤルキー」等が利用できる。
【００１７】ＣＰＵ５１は、暗証番号に続けて「解除」または「一時解除」の選択キーのいずれかの入力を検出すると、この暗証番号の「一致」または「不一致」を照合する（Ｓ１０４）。この照合の結果、暗証番号が一致すると、ＣＰＵ５１はステップＳ１０２で入力された選択キーの種別にしたがって、「解除」または「一時解除」のいずれかを実行する（Ｓ１０６）。一方、暗証番号が不一致であれば、ダイヤルロックを継続して行い（Ｓ１１８）、ダイヤルロック中である旨を表示部６４に表示する（Ｓ１２０）。
【００１８】ステップＳ１０６に戻って、ステップＳ１０２で入力された選択キーが「解除」の場合、ＣＰＵ５１はダイヤルロックを解除する（Ｓ１２４）。一方、ステップＳ１０２で入力された選択キーが「一時解除」の場合、ＣＰＵ５１はダイヤルロックを一時解除し（Ｓ１０８）、一時解除中の表示を表示部６４に表示する（Ｓ１１０）。そして、ＣＰＵ５１はタイマ５６を起動することにより監視タイマ開始を行い（Ｓ１１２）、キー入力無しの時間を計測する。
【００１９】そして、監視タイマ開始後、キー入力が予め設定した時間無ければ、すなわちキー入力無しの状態でタイムアウトになれば（Ｓ１１４，Ｓ１１６）、ダイヤルロックを設定し（Ｓ１１８）、ダイヤルロック中である旨を表示部６４に表示する（Ｓ１２０）。また、ステップＳ１１６のタイムアウトにならなくても、終了キーが操作されると（Ｓ１２２）、タイムアウトのときの処理と同様に、ダイヤルロックを設定し（Ｓ１１８）、ダイヤルロック中である旨を表示部６４に表示する（Ｓ１２０）。
【００２０】また、知人等の相手先名、電話番号等が記憶されている電話帳をメモリから読み出し、相手先名等により検索するときや電話帳などから相手先を検索・選択後にダイヤル発信キーが操作されダイヤル発信するときにキー入力があった場合（Ｓ１１４）、電話帳の検索後または相手先と通話終了後に終了キーが操作されると（Ｓ１２２）、ダイヤルロックを設定し（Ｓ１１８）、ダイヤルロック中である旨を表示部６４に表示する（Ｓ１２０）。」
　
　引用例２の図３には、ダイヤルロック機能を備えた移動体通信端末が示されており、【００１４】には、移動体通信端末は、ダイヤルロックの一時解除の場合は、タイマを起動してキー入力有無を監視することが記載されている。さらに、【００１５】〜【００２０】及び図１のダイヤルロックの解除方法を参照すれば、ダイヤルロックを一時解除する入力があった場合、タイマーを起動し、ダイヤルロックを一時解除する入力があったときから時間を測定し、キー入力が予め設定した時間無ければダイヤルロックを設定し、キー入力が予め設定した時間に行われたときは、前記タイマーを起動して時間を測定し、キー入力の伴う処理を前記タイマーの時間が予め設定した時間となるときまで有効とするものであるといえる。
　
　したがって、技術常識を考慮すれば、引用例２には、以下の発明（以下、「引用例２発明」という。）が開示されていると認めることができる。
　「ダイヤルロック機能を備えた移動通信端末において、ダイヤルロックを一時解除する入力があった場合、タイマーを起動し、ダイヤルロックを一時解除する入力があったときから時間を測定し、キー入力が予め設定した時間無ければダイヤルロックを設定し、キー入力が予め設定した時間に行われたときは、前記タイマーを起動して時間を測定し、キー入力の伴う処理を前記タイマーの時間が予め設定した時間となるときまで有効とする移動通信端末。」
　
　当審で通知した拒絶理由に引用された特開２００１−１３６２５０号公報（以下、「引用例３」という。）には、図面とともに以下の記載がある。
　
　「【００１０】
【発明の実施の形態】以下、本発明の実施の形態について、図１から図１２を用いて説明する。図１（ａ）は、本発明の第１の実施の形態の折畳式携帯電話装置の本体筐体を閉じた状態を示す側面図、図１（ｂ）は本体筐体を閉じた状態を示す正面図、図２（ａ）は本体筐体を開いた状態を示す側面図、図２（ｂ）は本体筐体を開いた状態を示す正面図である。
【００１１】図１と図２を用いて、全体の構成を簡単に説明する。図１（ａ）の折畳式携帯電話装置は、第１の本体筐体１と第２の本体筐体２をヒンジ部３で連結した形にして、第１の本体筐体１と第２の本体筐体２をヒンジ部３により折り畳み自在にしている。図１（ｂ）に示すように、第１の本体筐体１の外面には液晶表示装置などからなる第１の表示手段４を設けている。第１の表示手段４の近傍には通話開始ボタン５ａ、通話終了ボタン５ｂ、クリアボタン６、上下左右の４方向のスクロール及び中央を押して選択・決定を行なういわゆるナビゲーションキー７が設けられている。なお、本発明の折畳式携帯電話装置を携帯ゲーム機として使用するときには、前記通話開始ボタン５ａは携帯ゲームのいわゆるＢボタンとして、前記通話終了ボタン５ｂはいわゆるスタート(Ｓ)ボタンとして、前記クリアボタン６はいわゆるＡボタンとして使用する。
【００１２】また、第１の本体筐体１の内面には第２の表示手段８が設けられており、第２の本体筐体２の側面には斜め上へ出し入れ自在にアンテナ９が設けられている。第１の本体筐体１には磁石18が内蔵され、第２の本体筐体２にはリードスイッチ19が内蔵されている。そして本体筐体が閉じて磁石18とリードスイツチ19が接近しているときはリードスイツチ19がＯＮになり、本体筐体が開いて磁石18とリードスイツチ19が離れたときはリードスイツチ19がＯＦＦになるようにして、本体筐体の開閉状態を検出するようにしている。アンテナのある側面の下方にはイヤホンマイク用ジャック37が設けられている。
【００１３】図２（ａ）に第１の本体筐体１を上方へ開いた状態を示す。第１の本体筐体１を上方へ開くと後述する制御手段により、第１の本体筐体１の内面にある第２の表示手段８に文字や画像情報を表示するようにしている。なお、このときには、第１の表示手段４については、本体筐体１を上方へ開く前の状態を維持するようにしている。
【００１４】図２（ｂ）に示す第２の本体筐体２の内面には、テンキー10や、４方向にスクロールし中央を押して選択・決定するいわゆるナビケーションキー11や、通話開始キー12ａ、通話終了キー12ｂ、メニューキー13、ｉモードなどの非音声無線通信サービス受信開始キー14などのキー操作部が設けられている。また第２の本体筐体２の下方には送話器（マイク）15が有り、第１の本体筐体１の上方には受話器（スピーカ）16が設けられている。」
　
　引用例３の上記記載及び図１を参照すれば、引用例３には、以下の発明（以下、「引用例３発明」という。）が開示されていると認めることができる。
　「開閉可能な筐体を有する携帯電話装置であって、筐体に設けられたキー操作部と、第１の本体筐体の外面に設けられた第１の表示手段とを備え、前記キー操作部は、前記第１の表示手段と略同一面上に設けられた、上下左右の４方向のスクロール及び中央を押して選択・決定を行うナビゲーションキー７を含む携帯電話装置。」
　
　４．対比
　本願発明と引用例１発明とを対比する。
　引用例１発明の「携帯電話機」は、本願発明の「携帯通信機器」に含まれるものである。
　引用例１発明の「サイドキー」は、本願発明の「外部キー」に相当する。
　キーにロックをかけることにより、キーの操作に伴う処理が無効になることは技術常識であるから、引用例１発明の「サイドキーにロックをかける簡易サイドキーロック機能」と、本願発明の「外部キーの操作に伴う処理を無効にする操作無効機能」とに差異はない。
　引用例１発明の「筐体が閉じているとき」は、本願発明の「筐体の閉状態で」に相当する。
　引用例１発明の［○２７キー］は、「外部キーの１つ」であるから、引用例１発明の「前記[○２７キー]が１秒以上押されたかどうかを判定する判定手段」と、本願発明の「前記外部キーの少なくとも１つに所定の操作が行われたか否かを判定する判定手段」とに差異はない。
　引用例１発明において、簡易サイドキーロックが一時解除されると、サイドキーの操作に伴う処理が有効となることは技術常識であるから、引用例１発明の「前記判定手段により[○２７キー]が１秒以上押されたと判定されたとき、前記簡易サイドキーロックを一時解除する操作制御手段」と、本願発明の「前記判定手段により所定の操作が行われたと判定されたとき、前記操作部の少なくとも１つについて、前記操作部の操作に伴う処理を有効にする操作制御手段」とに差異はない。
　引用例１発明の「筐体を閉じているときに情報を表示するサブディスプレイ」は、本願発明の「閉状態で情報を表示する画面」に相当する。
　引用例１発明の「携帯電話機」が「当該携帯電話機が有する各種機能を制御する制御部」を備えていることは技術常識である。
　
　したがって、本願発明と引用例１発明とは、
　「開閉可能な筺体と、筐体に設けられた外部キーを含む操作部と、前記外部キーの操作に伴う処理を無効にする操作無効機能とを有する携帯通信機器であって、
　前記筺体の開閉を検出する開閉検出手段と、
　前記筺体が閉状態で前記操作無効機能が有効なとき、前記外部キーの少なくとも１つに所定の操作が行われたか否かを判定する判定手段と、
　前記判定手段により所定の操作が行われたと判定されたとき、前記操作部の少なくとも１つについて、前記操作部の操作に伴う処理を有効にする操作制御手段とを備え、
　閉状態で情報を表示する画面と、
　当該携帯通信機器が有する各種機能を制御する制御部とを更に備え、
　前記操作部は、本体側面に設けられたサイドキーとを含む携帯通信機器。」
である点で一致し、以下の点で相違している。
　　
［相違点１］
　本願発明の操作制御手段は、「操作部の操作に伴う処理を有効にした場合、タイマーを初期化して起動し操作部の操作に伴う処理を有効にしたときから時間を測定し、前記操作部の操作が所定時間行なわれないときは、前記操作部の操作に伴う処理を無効にするとともに、前記操作部の操作が前記所定時間に行われたときは、前記タイマーを初期化して時間を測定し、操作部の操作に伴う処理を前記タイマーの時間が所定時間となるときまで有効」とするのに対して、引用例１発明の操作制御手段は、そのようなものでない点。
　
［相違点２］
　本願発明の操作部は、「前記画面と略同一面上に設けられた、中心キーおよび当該中心キーの周囲に配された４つの上下左右キーから成る５接点キー」を含み、「前記５接点キーが操作無効機能の対象に含まれ」るのに対して、引用例１発明の操作部は、そのようなものでない点。
　
［相違点３］
　本願発明の操作制御手段は、「前記判定手段により、前記５接点キーに対してダブルクリック又は長押しが行われたと判定されたとき、前記５接点キーの操作に応じた操作信号を前記制御部に通知する」のに対して、引用例１発明の操作制御手段は、そのようなものでない点。
　
５．当審の判断
　上記相違点１について検討する。
　引用例２には、「ダイヤルロック機能を備えた移動通信端末において、ダイヤルロックを一時解除する入力があった場合、タイマーを起動し、ダイヤルロックを一時解除する入力があったときから時間を測定し、キー入力が予め設定した時間無ければダイヤルロックを設定し、キー入力が予め設定した時間に行われたときは、前記タイマーを起動して時間を測定し、キー入力の伴う処理を前記タイマーの時間が予め設定した時間となるときまで有効とする移動通信端末。」（引用例２発明）が開示されている。
　引用例２発明の移動通信端末の備えるダイヤルロック機能は、ダイヤル操作をロックするもの、すなわちダイヤル操作を操作部で行うときに、操作に伴う処理を無効にするものであるから、本願発明と技術分野を共通にするものである。
　したがって、引用例２発明を引用例１発明に適用して、相違点１に係る構成とすることに困難性は認められない。
　
　次に、相違点２について検討する。
　引用例３には、「開閉可能な筐体を有する携帯電話装置であって、筐体に設けられたキー操作部と、第１の本体筐体の外面に設けられた第１の表示手段とを備え、前記キー操作部は、前記第１の表示手段と略同一面上に設けられた、上下左右の４方向のスクロール及び中央を押して選択・決定を行うナビゲーションキー７を含む携帯電話装置。」（引用例３発明）が開示されている。
　引用例３発明の「携帯電話装置」は、「携帯通信機器」に含まれるものであり、「第１の本体筐体の外面に設けられた第１の表示手段」は、「閉状態で情報を表示する画面」であるといえる。また、「上下左右の４方向のスクロール及び中央を押して選択・決定を行うナビゲーションキー７」は、「中心キーおよび当該中心キーの周囲に配された４つの上下左右キーから成る５接点キー」であり、また、筐体の外面に設けられたものであるから、「外部キー」であるといえる。
　引用例３発明は、「開閉可能な筐体と、筐体に設けられた外部キーを含む操作部と、閉状態で情報を表示する画面を備える携帯通信機器」である点で本願発明と基本的構成を共通にするものである。
　引用例３発明は、当該基本構成を有する携帯通信機器において、５接点キーを、閉状態で情報を表示する画面と略同一面上に設けるものであるから、引用例１発明の携帯通信機器の操作部に「前記画面と略同一面上に設けられた、中心キーおよび当該中心キーの周囲に配された４つの上下左右キーから成る５接点キー」を含ませるようにすることは、引用例３発明を適用することにより容易になし得ることである。その場合に「５接点キー」は、外部キーであるから、「操作無効機能の対象に含まれる」ようにするのは当然である。
　
　次に、相違点３について検討する。
　本願発明の操作制御手段は、「前記判定手段により所定の操作が行われたと判定されたとき、前記操作部の少なくとも１つについて、前記操作部の操作に伴う処理を有効にする」ものであり、相違点３の「前記５接点キーの操作に応じた操作信号を前記制御部に通知する」ことは、「操作部の操作に伴う処理を有効」にした状態を表現したものであるから、相違点３は、本願発明は、判定手段が５接点キーに対してダブルクリック又は長押しが行われたことを判定するものであるのに対し、引用例１発明は、サイドキーに対して長押しが行われたことを判定するものである点ということができる。
　ここで、引用例１発明の特定のサイドキーと、本願発明の５接点キーとは、所定の操作が行われる外部キーである点で共通しており、判定手段が所定の操作が行われたか否かを判定する外部キーとして、サイドキーに代えて５接点キーとすることは何ら格別なことではない。
　
　そして、本願発明の作用効果も、引用例１発明、引用例２発明及び引用例３発明から当業者が予測できる範囲のものである。
　
６．むすび
　以上のとおり、本願発明は、引用例１発明、引用例２発明及び引用例３発明に基づいて、当業者が容易に発明をすることができたものであるから、特許法第２９条第２項の規定により特許を受けることができない。
　よって、結論のとおり審決する。